(57)【要約】【課題】ドライバが運転困難な状態になった場合に、二次的な被害を軽減する。【解決手段】自車両を運転するドライバの状態を判定する状態判定手段２と、自車両の前方を走行する先行車の情報を含む周辺情報を取得する情報取得手段１１，１２，１３，１４と、自車両が先行車に追従して走行するように車速制御及び操舵角制御を含む追従制御を実施する車両制御手段４と、を備える。車両制御手段４は、状態判定手段２によりドライバが異常であると判定された場合に、情報取得手段１１，１２，１３，１４により取得された周辺情報に基づいて先行車に対する追従制御を自動的に開始し、追従制御の実施中に情報取得手段１１，１２，１３，１４により先行車の停止情報が取得されたら自車両を停止させるとともに追従制御を終了する。【選択図】図１
2014058229.tif 000002
【特許請求の範囲】
【請求項１】
自車両を運転するドライバの状態を判定する状態判定手段と、
前記自車両の前方を走行する先行車の情報を含む周辺情報を取得する情報取得手段と、
前記自車両が前記先行車に追従して走行するように車速制御及び操舵角制御を含む追従制御を実施する車両制御手段と、を備え、
前記車両制御手段は、前記状態判定手段により前記ドライバが異常であると判定された場合に、前記情報取得手段により取得された前記周辺情報に基づいて前記先行車に対する前記追従制御を自動的に開始し、前記追従制御の実施中に前記情報取得手段により前記先行車の停止情報が取得されたら前記自車両を停止させるとともに前記追従制御を終了する
ことを特徴とする、運転支援装置。
【請求項２】
前記先行車には、前記自車両と同一車線を走行する第一先行車と前記車線に隣接する隣接車線を走行する第二先行車とが含まれ、
前記車両制御手段は、前記状態判定手段により前記ドライバが異常であると判定された場合に、前記情報取得手段により前記第一先行車及び前記第二先行車の情報が取得されたときは前記第一先行車に対して自動的に前記追従制御を実施する
ことを特徴とする、請求項１記載の運転支援装置。
【請求項３】
前記車両制御手段は、前記状態判定手段により前記ドライバが異常であると判定された場合に、前記情報取得手段により前記第二先行車の情報のみが取得されたときは、前記第二先行車が走行する前記隣接車線に前記自車両よりも後方を走行する隣接後続車の有無を判定し、前記隣接後続車がいないときに前記第二先行車に対して自動的に前記追従制御を実施する
ことを特徴とする、請求項２記載の運転支援装置。
【請求項４】
前記状態判定手段により前記ドライバが異常であると判定された時に、少なくとも前記自車両の車外へ前記異常を知らせるための報知制御を実施する報知制御手段を備える
ことを特徴とする、請求項１〜３の何れか１項に記載の運転支援装置。
【請求項５】
前記報知制御手段は、少なくとも警笛装置，前照灯及び方向指示器の何れか一つに対して、通常の動作とは異なる動作指令を出力し、前記報知制御を実施する
ことを特徴とする、請求項４記載の運転支援装置。
【請求項６】
前記車両制御手段は、前記状態判定手段により前記ドライバが異常であると判定された場合に前記追従制御を実施するための前記先行車が存在しない場合は、前記周辺情報に基づいて待機制御を実施する
ことを特徴とする、請求項１〜５の何れか１項に記載の運転支援装置。
【発明の詳細な説明】
【技術分野】
【０００１】
本発明は、ドライバが運転困難な状態に陥った場合に運転を支援する運転支援装置に関する。
【背景技術】
【０００２】
近年、ドライバによる車両の運転を支援する様々な技術が開発されている。例えば、前方の先行車と一定の車間距離を保ったまま自動的に走行する追従制御や、前方に障害物がある場合にドライバに障害物の存在を報知する技術や、障害物に衝突しないように自動的にブレーキをかけて停止する衝突回避技術等がある。これらは、ドライバの運転負担を軽減することを目的とした支援技術である。
【０００３】
一方、ドライバが運転困難な状況に陥った場合に、自車両や他車両，歩行者等の安全を確保するために自車両を安全な場所に退避させる緊急退避システムと呼ばれる技術が開発されている。例えば特許文献１に記載のシステムでは、ドライバが昏睡状態であると判定されると、自動的に車両を路肩へ退避させて停止させるものである。具体的には、レーンチェンジ中にドライバが昏睡状態になったと判定されると、横断後の走行レーンが退避先である路肩に対して自車レーンより遠方になるか否かが判定され、さらに後方車両の有無が考慮される。横断後の走行レーンが自車レーンよりも遠方になる場合に、後方車両が検出されなければ自車両を元の走行レーンに復帰させることで、路肩に退避する際のレーンチェンジの回数を低減できるとされている。
【先行技術文献】
【特許文献】
【０００４】
【特許文献１】特開２００９−１５１５２２号公報
【発明の概要】
【発明が解決しようとする課題】
【０００５】
しかしながら、上記の特許文献１のシステムでは、ドライバが昏睡状態であると判定されると、自車両を自動的に路肩に退避させているが、退避先である路肩が常に安全な場所であるとは限らない。例えば、路肩に他車両が停止していたり歩行者が存在していたりした場合は、安全とは言い難い。また、路肩が存在しない道路の場合は退避先がすぐに見つからないこともある。また、ドライバが運転困難な状態になったと判定された時に自動で減速を開始した場合は、後続車両が追突してしまうおそれが生じる。
【０００６】
本件はこのような課題に鑑み案出されたもので、ドライバが運転困難な状態になった場合に、二次的な被害を軽減することができるようにした、運転支援装置を提供することを目的とする。
なお、この目的に限らず、後述する発明を実施するための形態に示す各構成により導かれる作用効果であって、従来の技術によっては得られない作用効果を奏することも本件の他の目的として位置づけることができる。
【課題を解決するための手段】
【０００７】
（１）ここで開示する運転支援装置は、自車両を運転するドライバの状態を判定する状態判定手段と、前記自車両の前方を走行する先行車の情報を含む周辺情報を取得する情報取得手段と、前記自車両が前記先行車に追従して走行するように車速制御及び操舵角制御を含む追従制御を実施する車両制御手段と、を備える。前記車両制御手段は、前記状態判定手段により前記ドライバが異常であると判定された場合に、前記情報取得手段により取得された前記周辺情報に基づいて前記先行車に対する前記追従制御を自動的に開始し、前記追従制御の実施中に前記情報取得手段により前記先行車の停止情報が取得されたら前記自車両を停止させるとともに前記追従制御を終了することを特徴としている。
【０００８】
前記状態判定手段は、前記ドライバの状態（健康状態）に異常があるか否かを判定するものである。なお、ここでいう「異常」とは、例えばドライバが心拍停止，死亡，深い眠り（昏睡状態）に陥った場合等、車両を運転することが困難な状態あるいは全く運転できない状態を意味する。
前記情報取得手段は、前記先行車の情報（位置情報や速度情報等）や、前記自車両の後方を走行する後続車の情報（位置情報や速度情報等）や、白線情報や信号情報等の道路情報等を取得する。
【０００９】
前記車両制御手段は、前記自車両の車速を制御する車速制御及び操舵角を制御する操舵角制御の他に、例えば前記先行車と一定の距離を保つように車間距離を制御する車間距離制御等を含んでいてもよい。さらに、前記車両制御手段は、前記先行車が一旦停止したら前記自車両を停止させるとともに、たとえ前記先行車が再び走り出したとしても前記追従制御を終了して追従しない（つまり、前記自車両は停止し続ける）。
【００１０】
（２）前記先行車には、前記自車両と同一車線を走行する第一先行車と前記車線に隣接する隣接車線を走行する第二先行車とが含まれ、前記車両制御手段は、前記状態判定手段により前記ドライバが異常であると判定された場合に、前記情報取得手段により前記第一先行車及び前記第二先行車の情報がともに取得されたときは前記第一先行車に対して自動的に前記追従制御を実施することが好ましい。
【００１１】
つまり、片側二車線以上の道路を走行中に前記ドライバが異常であると判定されたとき、前記自車両と同一車線を走行する第一先行車と、この車線と隣接する隣接車線を走行する第二先行車とが存在するという情報が取得された場合は、前記第一先行車を優先し、前記第一先行車に対して自動的に前記追従制御を実施することが好ましい。さらに、前記第一先行車が複数存在する場合は、直近の前記第一先行車を優先することがより好ましい。
【００１２】
（３）さらに、前記車両制御手段は、前記状態判定手段により前記ドライバが異常であると判定された場合に、前記情報取得手段により前記第二先行車の情報のみが取得されたときは、前記第二先行車が走行する前記隣接車線に前記自車両よりも後方を走行する隣接後続車の有無を判定し、前記隣接後続車がいないときに前記第二先行車に対して自動的に前記追従制御を実施することが好ましい。
【００１３】
（４）また、前記状態判定手段により前記ドライバが異常であると判定された時に、少なくとも前記自車両の車外へ前記異常を知らせるための報知制御（報知支援制御）を実施する報知制御手段を備えることが好ましい。
【００１４】
（５）このとき、前記報知制御手段は、少なくとも警笛装置，前照灯及び方向指示器の何れか一つに対して、通常の動作とは異なる動作指令を出力し、前記報知制御を実施することが好ましい。ここでいう「通常の動作とは異なる動作」とは、例えば、普段ドライバが操作する警笛装置の場合、ドライバが鳴らすことができないようなリズムや音で警笛を鳴らすことや、前照灯を用いてパッシングする場合、ドライバが操作することができない速さでハイビームとロービームとを交互に点灯させることである。また、方向指示器をハザードランプとして用いる場合は、通常の点滅速度とは異なる速度で全ての方向指示器を点滅させることである。
【００１５】
（６）また、前記車両制御手段は、前記状態判定手段により前記ドライバが異常であると判定された場合に前記追従制御を実施するための前記先行車が存在しない場合は、前記周辺情報に基づいて待機制御を実施することが好ましい。ここでいう「待機制御」とは、前記先行車が存在すると判定されるまでの間、前記周辺情報に基づいて自動走行をし続ける制御や、前記周辺情報から安全な停車位置を探索し、安全な場所へ自動的に停車させに行く制御のことである。
【発明の効果】
【００１６】
開示の運転支援装置によれば、ドライバが異常であると判定されたら、自車両の前方を走行する先行車に対して自動的に追従制御を実施するため、突然自車両が停止したり暴走したりするような事態を防止することができる。また、自車両は先行車に追従して走行するため安全に走行を継続することができ、二次的な被害を軽減することができる。さらに、自車両の追従制御中に先行車が停止したら、その停止に合わせて自車両が停止するとともに追従制御も終了するため、一般的に車両が停止することができる安全な場所に自車両を停止させることができる。これにより、二次的な被害をさらに回避することができる。
【図面の簡単な説明】
【００１７】
【図１】一実施形態に係る運転支援装置の全体構成を示すブロック図である。
【図２】（ａ）〜（ｃ）は、一実施形態に係る運転支援装置の適用対象となる場面を例示する図である。
【図３】一実施形態に係る運転支援装置での制御手順を例示するフローチャートである。
【発明を実施するための形態】
【００１８】
以下、図面により実施の形態について説明する。なお、以下に示す実施形態はあくまでも例示に過ぎず、以下の実施形態で明示しない種々の変形や技術の適用を排除する意図はない。
【００１９】
［１．装置構成］
本実施形態の運転支援装置は、図２に示す自車両１０に搭載される。本運転支援装置は、自車両１０を運転するドライバの状態が運転困難になった場合に自車両１０を自動で制御し、ドライバに代わって運転を支援するとともに、周囲の他車両や歩行者等に異常を知らせる支援制御を実施する。
【００２０】
支援制御は、自車両１０に搭載される車両ＥＣＵ（電子制御装置）１によって制御される。ここではまず、車両ＥＣＵ１の入力側及び出力側にそれぞれ接続される装置を順に説明する。図１に示すように、自車両１０には、車両ＥＣＵ１の入力側に接続されるカメラ１１，レーダ１２，通信装置１３及びドライバ状態検出センサ１４が設けられる。さらに自車両１０には、車両ＥＣＵ１の出力側に接続されるエンジン２１，自動ブレーキ装置２２，自動操舵装置２３，警笛装置２４，前照灯２５及び方向指示器２６が設けられる。
【００２１】
カメラ（情報取得手段）１１は、例えば自車両１０の前方の画像を撮像する前方カメラや、自車両１０の左右後方の画像を撮像する左後方カメラ及び右後方カメラのように、自車両１０の周辺情報を取得するものである。カメラ１１によって撮像された画像（静止画像）は、随時車両ＥＣＵ１に画像データとして送信され、車両ＥＣＵ１において各画像データに対して画像処理される。カメラ１１で取得される周辺情報は、例えば自車両１０の前後を走行する他車両の位置情報や白線情報，信号情報等の道路情報である。
【００２２】
レーダ（情報取得手段）１２は、例えばレーザレーダやミリ波レーダ等であって、自車両１０の周辺情報を取得するものである。レーダ１２は、自車両１０の前方及び後方にそれぞれレーザ波等を送出し、その反射波を受信することで自車両１０の周辺情報を取得する。レーダ１２で取得される周辺情報は、例えば他車両の有無情報や他車両までの距離，角度（すなわち、相対位置）や速度（相対速度）情報、電柱や建物等の位置情報等である。レーダ１１により検出された各情報は、随時車両ＥＣＵ１に送信される。
【００２３】
通信装置（情報取得手段）１３は、道路上に設けられた路側機から自車両１０に設けられたアンテナを介して周辺情報を受信する路車間通信として機能する処理装置である。路側機は、例えば渋滞情報，車線別の交通情報，一時停止等の規制情報，死角位置の交通状況の情報等を送信するビーコン装置である。また、通信装置１３は、自車両１０の周辺の他車両とアンテナを介して直接、或いは中継機（図示略）を経由して通信する車車間通信として機能する処理装置でもある。ここで取得される周辺情報としては、他車両の位置情報，速度情報及び操作状態（例えば、ウィンカーを作動させているか等）に関する情報である。通信装置１３において受信された各情報は、随時車両ＥＣＵ１に送信される。
【００２４】
ナビゲーション装置１４は、ＧＰＳ衛星からアンテナを介して自車両１０の現在位置を検出したり、ＧＰＳ，速度センサ及びジャイロスコープ等を用いて、自車両１０の走行速度の検出や目的地への経路案内等を行うものである。ナビゲーション装置１４には、詳細な道路情報を含んだ地図データが内蔵されている。この地図データには、例えば道路の形状，レーン数，車線幅の情報等が含まれている。ナビゲーション装置１４で取得された現在位置の情報や道路情報等は、随時車両ＥＣＵ１に送信される。
【００２５】
ドライバ状態検出センサ１５は、自車両１０を運転しているドライバの状態を検出するものである。ここで検出されるドライバの状態とは、例えばドライバの運転姿勢や心拍状態，呼吸状態等がある。ドライバの運転姿勢は、例えば車内に設置されたドライバを撮像するカメラにより、運転中のドライバの姿勢や目線（目の動き）を撮像することで把握される。また、ドライバの心拍状態は、例えばステアリングホイールに内蔵された電極により、ステアリングホイールを握っているドライバの心拍数を検出することで把握される。また、ドライバの呼吸状態は、ドライバが着座する座席シートに内蔵された荷重センサの検出値の変化を観察することで把握される。なお、ドライバの状態を検出する手法は特に限られず、後述する状態判定部２においてドライバが運転困難な状態であるか否かを判定できるものであればよい。
【００２６】
エンジン２１は自車両１０の駆動源であり、エンジン２１で発生する駆動力は図示しない動力伝達経路を介して駆動輪に伝達される。エンジン２１は、後述する車両制御部４によって燃料の噴射量や噴射タイミング，スロットル開度等が制御され、これにより自車両１０の駆動力が制御される。なお、ここでは自車両１０の駆動源としてエンジン２１を例示しているが、自車両１０はエンジン２１のみを駆動源とするものに限られず、エンジンとモータとを駆動源とするハイブリッド電気自動車や、モータのみを駆動源とする電気自動車であってもよい。
【００２７】
自動ブレーキ装置２２は、ブレーキ装置とブレーキアクチュエータとから構成され、ドライバのブレーキ操作に係わらず自動的に各車輪へ制動力を付与するものである。ブレーキ装置は、ドライバによるブレーキペダルの踏み込み操作に応じ、エア圧を利用して前輪及び後輪に制動力（ブレーキ力）を発生させるフルエア式のドラムブレーキ等の一般的なブレーキ装置である。ブレーキアクチュエータは、ドライバによるブレーキ操作とは別に、後述する車両制御部４からの指令に基づいて、自動ブレーキとして各車輪に任意の大きさの制動力を発生させるものである。
【００２８】
自動操舵装置２３は、ステアリングとステアリングアクチュエータとから構成され、ドライバのステアリング操作に係わらず自動的に操舵角を制御するものである。ステアリングは、ドライバによる操舵操作に応じて車輪の向きを変える一般的な操舵装置である。ステアリングアクチュエータは、ドライバによる操舵操作とは別に、後述する車両制御部４からの指令に基づいて、自動操舵として車輪の向きを変更するものである。
【００２９】
警笛装置２４は、例えばステアリングホイールに内蔵された警笛スイッチが操作されることで音（クラクション）を発し、車外へ報知する報知装置である。通常、警笛装置２４は、ドライバにより必要に応じて警笛スイッチが操作され、警笛スイッチが操作されている間のみ通電されて警笛を鳴らし続けるものであるが、ここでは後述する報知制御部５により、ドライバのスイッチ操作に係わらず自動的に警笛スイッチが操作される。
【００３０】
前照灯２５は、自車両１０の前面の左右にそれぞれ設けられ、自車両１０の前方を照らす照明装置である。この前照灯２５には、ハイビームとロービームの二種類があり、ロービームの点灯中にハイビームを点滅させる（すなわちロービームとハイビームとを交互に点灯させる）、いわゆるパッシングを行うことで車外へ報知する報知装置としても機能する。
【００３１】
前照灯２５は、例えばステアリングに設けられたヘッドランプスイッチが操作されることで点灯されたりハイビームとロービームとが切り替えられたりする。パッシングは、例えばこのヘッドランプスイッチを手前に引いている間だけ実施されるものであり、通常はドライバの操作によって行われる。ここでは、前照灯２５は後述する報知制御部５からの指令に基づいて、通常とは異なるハイビームの点滅速度で自動的にパッシングが行われる。
【００３２】
方向指示器２６は、少なくとも自車両１０の前後の左右両端にそれぞれ設けられ、自車両１０の進行方向を他車両等に知らせる報知装置である。方向指示器２６は、例えばステアリングに設けられたウィンカースイッチが操作されることで左右何れか一方の方向指示器２６が点滅し、進行方向を車外に示す。また、方向指示器２６は、ウィンカースイッチとは別体で設けられたハザードスイッチが操作されることで全ての方向指示器２６が点滅し、ハザードランプとして機能する。ここでは、方向指示器２６は後述する報知制御部５からの指令に基づいて、通常とは異なる点滅速度で自動的にハザードランプとして作動される。
【００３３】
車両ＥＣＵ１は、各種演算処理を実行するＣＰＵ、その制御に必要なプログラムやデータの記憶されたＲＯＭ、ＣＰＵでの演算結果等が一時的に記憶されるＲＡＭ、外部との間で信号を入出力するための入出力ポート等を備えたコンピュータである。
【００３４】
［２．制御構成］
本実施形態の車両ＥＣＵ１では、自車両１０を運転するドライバが運転困難な状態に陥った場合に、自車両１０を安全に停車させる運転支援制御と、自車両１０の異常を周囲へ知らせる報知支援制御（報知制御）とが実施される。車両ＥＣＵ１は、上記の各制御を実現するために、状態判定部２としての機能要素と、制御判定部３としての機能要素と、車両制御部４としての機能要素と、報知制御部５としての機能要素とを有している。
【００３５】
状態判定部２は、ドライバ状態検出センサ２５から伝達される情報に基づき、ドライバの状態（健康状態）に異常があるか否か（すなわち、ドライバが運転困難な状態であるか否か）を判定するものである。なお、ここでいう「ドライバに異常がある」とは、例えばドライバの心拍数が停止してしまった場合や、ドライバが死亡してしまった場合や、ドライバが深い眠りについてしまった（すなわち昏睡状態に陥ってしまった）場合等、自車両１０を運転することが困難な状態、あるいは自車両１０を全く運転することができない状態を意味する。
【００３６】
状態判定部２において、ドライバが異常であると判定された場合は、その判定結果が制御判定部３及び報知制御部５に伝達される。一方、状態判定部２において、ドライバは異常ではない（正常である）と判定された場合は、その判定結果が車両制御部４に伝達される。なお、状態判定部２での判定は、一度ドライバが異常であるという判定結果が出たとしても、継続して行われる。
【００３７】
制御判定部３は、状態判定部２においてドライバが異常であると判定されると、カメラ１１，レーダ１２，通信装置１３及びナビゲーション装置１４から取得された周辺情報に基づいて、運転支援制御を実施するための要件を判定するものである。なお、状態判定部２においてドライバの状態が正常であると判定されているときは、状態判定部２での判定結果が制御判定部３に伝達されないため、制御判定部３による判定は実施されない。
【００３８】
制御判定部３は、まず自車両１０の前方を走行する先行車がいるか否かを判定する。先行車がいると判定した場合は、図２（ａ）〜（ｃ）に示すように、この先行車が自車両１０と同じ車線（以下、自車線４１という）を走行する先行車（以下、第一先行車３１という）であるか、あるいは自車線４１に隣接する車線（以下、隣接車線４２という）を走行する先行車（以下、第二先行車３２という）であるかを判定する。なお、第一先行車３１及び第二先行車３２は、自車両１０の前方を走行する先行車のうち、直近のものを対象とする。
【００３９】
また、直近の先行車が複数いると判定された場合は、それぞれの先行車について、第一先行車３１であるか第二先行車３２であるかを判定する。なお、第二先行車３２は、自車両１０が片側二車線以上の道路４０を走行している場合に存在する可能性があるため、まず自車両１０の走行する道路４０が片側二車線以上か否かの判定を追加して、先行車が第一先行車３１であるか第二先行車３２であるかの判定を省略してもよい。
【００４０】
自車両１０の前方には第一先行車３１のみが存在すると判定したときは、この第一先行車３１が制御対象であると判定する。また、図２（ａ）及び（ｂ）に示すように、第一先行車３１及び第二先行車３２が共に存在すると判定したときは、自車両１０との車間距離に係わらず第一先行車３１が制御対象であると判定する。つまり、片側二車線以上の道路を走行中に第一先行車３１と第二先行車３２とが存在するという情報が取得された場合は、第一先行車３１が優先される。
【００４１】
また、図２（ｃ）に示すように、自車両１０の前方には第二先行車３２のみが存在すると判定したときは、さらに第二先行車３２が走行する隣接車線４２に自車両１０よりも後方を走行する他車両（以下、隣接後続車３３という）が存在するか否かを判定する。隣接後続車３３がいないと判定した場合は、第二先行車３２が制御対象であると判定し、隣接後続車３３が存在すると判定したときは、制御対象がいないと判定する。
一方、自車両１０の前方を走行する先行車がいないと判定した場合も、制御対象がいないと判定する。これら判定結果は、車両制御部４に伝達される。
【００４２】
車両制御部４は、制御判定部３により判定された制御対象に対して自車両１０が追従するように、自動的に追従制御を実施するものである。また、制御判定部３により制御対象がいないと判定された場合に、自動的に待機制御を実施するものである。さらに、車両制御部４は、状態判定部２によりドライバの状態が正常であるという判定結果が伝達された場合に、何れかの支援制御を実施中であればその全ての支援制御を停止させる、あるいは何れの支援制御も実施していないのであればそのまま何もしない（何れの支援制御も実施しない）ものである。
【００４３】
まず、追従制御について説明する。車両制御部４は、自車両１０の車速を制御する車速制御及び操舵角を制御する操舵角制御を行うことで、制御対象とされた先行車３１，３２（以下、追従先行車３０という）に対して追従制御を実施する。車両制御部４は、追従先行車３０の車速に合わせて、エンジン２１の駆動力及び自動ブレーキ装置２２の制動力を制御することで自車両１０の車速を制御し、追従先行車３０に追従する。また、追従先行車３０の右左折に合わせて、自動操舵装置２３のステアリングアクチュエータを制御することで車輪の向きを制御し、追従先行車３０に追従する。これにより、自車両１０は安全に走行を継続することができる。
【００４４】
さらに車両制御部４は、追従先行車３０に追従しているときに追従先行車３０が一旦停止したら、自車両１０を停止させるとともに、追従制御を終了する。つまり、追従制御中に自車両１０が一度停止したら、たとえ追従先行車３０が再び走りだしたとしても車両制御部４は追従制御を実施せず、自車両１０は追従先行車３０に追従しない（言い換えると自車両１０は停止し続ける）。これにより、自車両１０は安全な場所に停止することができる。
【００４５】
なお、ここでいう「安全な場所」とは、例えば一般道であれば一時停止の標識がある場所，信号待ちのために停止する場所，駐車場等を意味し、高速道路であればサービスエリア，パーキングエリア，料金所等を意味する。つまり、「安全な場所」とは、一般的に、後続車が追突し難く、車両が安全に停止することのできる場所を意味し、必ずしもそのまま停止し続けることができる場所（例えば駐停車可能な路側帯や駐車場）のみを意味するわけではない。
【００４６】
また、車両制御部４は、追従先行車３０の停止に合わせて自車両１０が停止する場合に、追従先行車３０の停止情報（例えば停止位置や停止タイミング）と周辺情報（道路情報）とに基づいて、適切なタイミングで適切な場所に自車両１０を停止させることがより好ましい。例えば、追従先行車３０が信号待ちで停止する場合に、自車両１０が追従先行車３０と同時に停止したのでは追従先行車３０との車間距離が長すぎてしまうことがある。このような事態を回避すべく、車両制御部４は、追従先行車３０の停止タイミングよりもやや遅いタイミングで自車両１０を停止させ、且つ、追従先行車３０との車間距離を走行時よりも短くなるよう制御したり、追従先行車３０と同じタイミングで減速を開始し、減速中に追従先行車３０とは異なる減速度となるように制御したりしてもよい。
【００４７】
次に待機制御について説明する。待機制御は、ドライバが運転困難な状態になった時に、すぐに追従できる先行車がいない場合に行われる制御である。ここでは車両制御部４は、待機制御として、制御判定部３により制御対象が存在すると判定されるまでの間、カメラ１１及びレーダ１２により取得された周辺情報に基づいて、自車両１０を追突されない程度に速度を落として自動的に走行させる自動走行制御を実施する。
【００４８】
例えば高速道路のように片側二車線以上の道路を走行中に、第二先行車３２は存在するものの隣接後続車３３がいるために制御対象なしと判定された場合は、自車両１０の速度を追突されない程度に低速にし、隣接後続車３３が自車両１０を追い越すのを待つ（待機する）。そして、この隣接後続車３３が自車両１０を追い越せば、この隣接後続車３３が新たな第二先行車３２になり得る。また、例えば一般道を走行中に、自車両１０の前方に他車両が進入してくるように低速走行を継続して実施し、自車両１０の前方に進入してきた場合は、この他車両が追従先行車３０と判定される。
【００４９】
車両制御部４は、このような待機制御の実施中に自車両１０が一度停止したときは、待機制御を終了し、自車両１０を停止させたままとする。例えば、自車両１０が周辺情報に基づいて自動で走行している場合に、前方に赤信号があれば自車両１０を自動的に停止させ、その後信号が青に変わっても自車両１０を走行させず停止状態のままとする。
【００５０】
報知制御部５は、状態判定部２においてドライバが異常であると判定されたときに、警笛装置２４，前照灯２５及び方向指示器２６を制御して、自車両１０の周囲にいる他車両や歩行者等に自車両１０の異常を報知するものである。ここでは、報知制御部５は、警笛装置２４に対して通常とは異なるリズムや音の警笛を鳴らすように指令を発する。また、前照灯２５に対して通常とは異なるハイビームの点滅速度のパッシングを行うように指令を発し、方向指示器２６に対して通常とは異なる点滅速度で全方向指示器２６を点滅させてハザードランプとして機能するように指令を発する。
【００５１】
なお、報知制御部５は、警笛装置２４，前照灯２５及び方向指示器２６の全てを制御して車外へ報知するのではなく、これらのうち少なくとも一つを制御する構成であってもよい。また、ナビゲーション装置１４の音声機能やブザー等を用いて、車室内へ報知する構成を追加してもよい。これは、ドライバが昏睡状態であるような場合に有効である。
【００５２】
［３．フローチャート］
次に、図３のフローチャートを用いて、車両ＥＣＵ１で実施される制御手順を説明する。このフローチャートは所定の制御周期で動作する。また、下記の各ステップは、コンピュータのハードウェアに割り当てられた各機能（手段）が、ソフトウェア（コンピュータプログラム）によって動作することによって実施される。
【００５３】
本支援制御装置は、ドライバによるイグニッションスイッチ（図示略）のオン操作が行われると、以下の制御フローをスタートする。図３に示すように、まずステップＳ１０において、ドライバ状態検出センサ１５によりドライバの状態が検出される。次いでステップＳ２０において、ドライバが異常であるか否かが判定される。ここで、ドライバが異常であると判定された場合は、ドライバが運転を継続して行うことが困難であるため、支援制御が実施される。
【００５４】
ステップＳ３０では、報知制御部５により警笛装置２４，前照灯２５及び方向指示器２６が制御され、自車両１０の異常を周囲へ知らせる報知制御が実施される。この報知制御は、ドライバが異常ではない（正常である）と判定されるか、あるいは自車両１０が停止した後イグニッションスイッチがオフ操作されるまで継続される。ステップＳ４０では、カメラ１１，レーダ１２，通信装置１３及びナビゲーション装置１４により自車両１０の周辺情報が取得される。
【００５５】
次いでステップＳ５０では、フラグFがF=1であるか否かが判定される。フラグFは、現在の自車両１０の制御状態をチェックするための変数であり、F=0が何れの制御も実施していないことに対応し、F=1が追従制御実施中に対応し、F=2が待機制御実施中に対応する。なお、初期値はF=0に設定されている。最初にステップＳ５０に進んだときはフラグFはF=0であるため、ステップＳ６０へ進み、自車両１０の前方を走行する先行車が存在するか否かが判定される。
【００５６】
ここで、先行車が存在すると判定されたときは、ステップＳ７０において先行車が自車線４１を走行する第一先行車３１であるか否かが判定される。先行車が第一先行車３１であれば、この第一先行車３１が追従先行車３０とされ、ステップＳ８０において追従制御が実施される。そして、ステップＳ９０においてフラグFがF=1に設定され、この制御周期を終了しリターンする。
【００５７】
次の制御周期でドライバが異常のままであれば、ステップＳ５０からステップＳ１００へ進み、追従先行車３０が停止したか否かが判定される。追従先行車３０が走行中であればステップＳ８０へ進んで追従制御が継続される。また、追従先行車３０が停止したときはステップＳ１１０に進み、自車両１０も停止されて追従制御が終了され、この制御フローを終了する。つまり、ステップＳ１１０へ進んだ場合は、自車両１０が安全な場所まで走行して安全な場所に停止することができたため、その場に停止し続ける（停止保持される）。なお、このときステップＳ３０で開始した報知制御は継続中であるため、停止し続ける自車両１０が異常な状態であると周囲に報知し続ける状態となる。
【００５８】
一方、ステップＳ６０において先行車が存在しないと判定された場合は、ステップＳ１１５へ進み、自車両１０が停止したか否かが判定される。自車両１０が走行中であればステップＳ１２０へ進み、待機制御が実施される。そして、ステップＳ１３０においてフラグFがF=2に設定されて、この制御周期を終了しリターンする。
【００５９】
また、ステップＳ７０において先行車が第一先行車３１でないと判定されたらステップＳ７２へ進み、先行車が隣接車線４２を走行する第二先行車３２であるか否かが判定される。先行車が第二先行車３２であれば、続くステップＳ７４において隣接後続車３３が存在しないか否かが判定される。隣接後続車３３が存在しなければ、第二先行車３２が追従先行車３０とされ、ステップＳ８０において追従制御が実施され、ステップＳ９０においてフラグFがF=1に設定され、この制御周期を終了しリターンする。
【００６０】
一方、ステップＳ７２において先行車が隣接先行車でない場合（つまり、自車線４１に隣接しない車線を走行する車両であった場合）、及び、ステップＳ７４において隣接後続車３３が存在する場合は、ステップＳ１１５へ進み、自車両１０が停止したか否かが判定される。自車両１０が走行中であればステップＳ１２０へ進んで待機制御が実施される。そして、ステップＳ１３０においてフラグFがF=2に設定されて、この制御周期を終了しリターンする。
【００６１】
ステップＳ１２０において待機制御が実施された場合は、続く制御周期においてステップＳ５０から再びステップＳ６０へ進み、先行車の有無が判定される。ここで、追従先行車３０が存在すればステップＳ８０に進んで、待機制御から追従制御へ切り替えられるが、追従先行車３０がいない場合はステップＳ１１５において、自車両１０が停止したか否かが判定されて、自車両１０が走行中である限り待機制御が継続され、周辺情報に基づく自動走行が実施される。一方、この待機制御を実施中に、例えば信号待ちなどで自車両１０が停止した場合は、ステップＳ１１５からステップＳ１３５へ進み、待機制御が終了されてこの制御フローを終了する。つまり、自車両１０はその場に停止し続け、再び発進はしない。
【００６２】
ステップＳ２０において、ドライバが異常ではない（正常である）と判定された場合は、ステップうＳ１４０へ進み、フラグFがF=0であるか否かが判定される。フラグFがF=0であれば、この制御周期を終了してリターンする。フラグFがF=0でなければ（すなわち、追従制御又は待機制御を実施中であれば）、ステップＳ１５０へ進み、全ての制御（すなわち、報知制御及び追従制御又は待機制御）を停止して、フラグFをF=0にリセットして、この制御周期を終了しリターンする。つまり、一度ドライバが異常であると判定されても、その判定が覆った場合は支援制御が停止される。
【００６３】
［４．作用・効果］
次に、図２（ａ）〜（ｃ）を用いて、本実施形態に係る支援制御を説明する。図２（ａ）〜（ｃ）は、自車両１０が片側二車線の高速道路を走行している場合を例示したものである。このような道路４０を走行中に自車両１０を運転するドライバが運転困難な状態になったと判定されると、警笛やパッシングやハザードランプにより、周囲への報知が開始される。また、カメラ１１やレーダ１２等で自車両１０の前方が探索され、先行車の有無が判定される。なお、図中に一点鎖線で示す範囲ＳFは前方探索エリアであり、この前方探索エリアＳF内に入れば「先行車あり」と判定される。
【００６４】
図２（ａ）及び（ｂ）に示すように、前方探索エリアＳF内で自車線４１を走行する第一先行車３１と隣接車線４２を走行する第二先行車３２とが検出されると、自車両１０との車間距離に係わらず（第二先行車３２の方が自車両１０に近くても）、第一先行車３１が追従先行車３０とされる。そして、第一先行車３１に対して追従制御が実施される。このように第一先行車３１が存在する場合は、第一先行車３１に対して追従制御を実施することで、不要な車線変更を抑制し、自車両１０の安全な走行が継続される。
【００６５】
一方、図２（ｃ）に示すように、前方探索エリアＳF内で第二先行車３２のみが検出されると、カメラ１１やレーダ１２等で自車両１０の後方が探索され、隣接後続車３３の有無が判定される。なお、図中一点鎖線で示す範囲ＳRR及びＳRLはそれぞれ右後方探索エリア及び左後方探索エリアであり、ここでは右後方探索エリアＳRR内に入れば「隣接後続車あり」と判定される。
【００６６】
図２（ｃ）に示す場面では隣接後続車３３が存在するため、この状態で第二先行車３２に追従しようとして車線変更を行うと、自車両１０が隣接後続車３３に接触してしまうおそれがある。そのため、この状態では第二先行車３２への追従制御は行われず、隣接後続車３３が右後方探索エリアＳRR内で検出されなくなるまで待機制御が実施される。仮に、隣接後続車３３が自車両１０を追い越して前方探索エリアＳF内に入ると、今度は隣接後続車３３であった車両が新たに第二先行車であると判定される。そして、このとき第一先行車３１が検出されず、且つ、新たな隣接後続車も検出されなければ、新たな第二先行車が追従先行車３０とされて追従制御が開始される。
【００６７】
そして、自車両１０が追従制御を実施中に、追従先行車３０がサービスエリアや料金所等で停止すると、自車両１０も停止し、そのまま停止し続ける。なお、このとき自車両１０は警笛やパッシングやハザードランプにより報知し続けており、周囲の人たちはこれを見て何らかの異常が起こっていることを把握する。
【００６８】
したがって、本実施形態に係る運転支援装置によれば、ドライバが異常であると判定されたら、自車両１０の前方を走行する先行車（追従先行車）３０に対して自動的に追従制御を実施するため、突然自車両１０が停止したり暴走したりするような事態を防止することができる。また、自車両１０は先行車３０に追従して走行するため、先行車３０が安全に走行し続ける限り安全に走行を継続することができ、二次的な被害を回避あるいは軽減することができる。
【００６９】
さらに、自車両１０の追従制御中に先行車３０が停止したら、その停止に合わせて自車両１０が停止するとともに追従制御も終了するため、一般的に車両が停止することができる安全な場所に自車両１０を停止させることができる。これにより、二次的な被害をさらに回避することができる。
【００７０】
また、第一先行車３１と第二先行車３２とが存在する場合は、第一先行車３１が制御対象であると判定されて、第一先行車３１に対して自動的に追従制御が実施されるため、不要な車線変更が抑制され、安全性をより高めることができる。
【００７１】
また、第二先行車３２の情報のみが取得されたときは、第二先行車３２が走行する隣接車線４２に自車両１０よりも後方を走行する隣接後続車３３の有無が判定され、隣接後続車３３がいないときに第二先行車３２に対して自動的に追従制御が実施される。そのため、車線変更を行って第二先行車３２に追従する場合であっても、後方の安全を確認した上で車線変更することができるため、自車両１０の安全性をより高めることができるとともに、隣接後続車３３の安全性も確保することができる。
【００７２】
また、状態判定部２によりドライバが異常であると判定された時に、自車両１０の車外へ異常を知らせるための報知制御が実施されるため、自車両１０の周囲の人たちに何らかの異常が起こっているということを知らせることができる。また、追従制御される追従先行車３０に対しても、追従している後続車（つまり、自車両１０）が異常であることを知らせることができる。
【００７３】
この報知制御では、警笛装置２４，前照灯２５及び方向指示器２６が用いられ、通常の動作とは異なる動作で警笛を鳴らし、パッシング及びハザードランプを点灯させるため、周囲の人たちに何らかの異常が起こっていることを確実に知らせることができる。また、前述のように通信装置１３を車車間通信に使用し、異常事態の情報を車車間通信で他車両に送信してもよい。
【００７４】
また、状態判定部２によりドライバが異常であると判定された場合に、追従制御を実施するための追従先行車３０が存在しない場合は、カメラ１１やレーダ１２等から得られる周辺情報に基づいて待機制御が実施される。そのため、追従先行車３０が存在しない場合であっても、自車両１０の安全性を最低限確保することができる。
【００７５】
さらに、ここでは待機制御を実施中に追従先行車３０が存在すると新たに判定された場合は、待機制御から追従制御に切り替えられるため、自車両１０の安全な走行を継続することができるとともに、安全な場所に停止させることができる。
【００７６】
［５．その他］
以上、本発明の実施形態を説明したが、本発明は上記実施形態に限定されるものではなく、本発明の趣旨を逸脱しない範囲で種々変形することが可能である。
上記実施形態では、片側二車線の道路４０を走行している場合を例示したが、自車両１０の走行する道路は片側二車線に限られず、片側一車線や一方通行の道路であってもよく、片側三車線以上の道路であってもよい。
【００７７】
また、第一先行車３１及び第二先行車３２の両方が存在すると判定された場合に、自車両１０に近い方の先行車を追従先行車３０とする構成であってもよい。この場合は、追従先行車３０と自車両１０との距離が近いため、追従先行車３０が前方探索エリアＳFからいなくなる（探索できなくなる）おそれがなくなり、確実に追従制御を開始することができる。
【００７８】
また、自車両１０の周辺情報を取得するカメラ１１，レーダ１２，通信装置１３及びナビゲーション装置１４の全てが搭載されていなくてもよく、何れか一つ又は複数であってもよい。また、これら以外の装置から周辺情報を取得してもよい。
また、報知の仕方は上記したものに限られず、警笛装置２４，前照灯２５及び方向指示器２６以外の機器を用いて報知してもよい。また、これら警笛装置２４，前照灯２５及び方向指示器２６を用いる場合であっても、必ずしも通常と異なる動作で報知を行わなくてもよい。
【００７９】
また、報知開始のタイミングも上記したものに限られず、例えば、ドライバの異常を判定したらまずはパッシングかハザードランプの点灯によって報知し、自車両１０が停止してから警笛を鳴らすような構成にしてもよい。このように、報知に段階を設けることで、ドライバが異常であるか否かの判定が覆った場合に周囲に与える影響を最小限にとどめることができる。
【００８０】
また、待機制御は上記したものに限られず、例えば周辺情報に基づいて自車両１０を自動的に走行させながら安全な停車位置を探索し、安全な場所へ自動的に停車させに行く制御であってもよい。つまり、待機制御は従来から行われている制御を採用してもよい。
また、上記実施形態で説明した制御判定部３での判定を車両制御部４で併せて実施し、制御判定部３を省略してもよい。
【符号の説明】
【００８１】
１  車両ＥＣＵ
２  状態判定部（状態判定手段）
３  制御判定部
４  車両制御部（車両制御手段）
５  報知制御部（報知制御手段）
１０  自車両
１１  カメラ（情報取得手段）
１２  レーダ（情報取得手段）
１３  通信装置（情報取得手段）
１４  ドライバ状態検出センサ
２１  エンジン
２２  自動ブレーキ装置
２３  自動操舵装置
２４  警笛装置
２５  前照灯
２６  方向指示器
３０  追従先行車（先行車）
３１  第一先行車（先行車）
３２  第二先行車（先行車）
３３  隣接後続車
４０  道路
４１  自車線
４２  隣接車線
【図１】
2014058229.tif 000003
【図２】
2014058229.tif 000004
【図３】
2014058229.tif 000005